(57)【要約】【課題】分銅１を横転又は反転することなく、容易に質量調整できるようにする。【解決手段】金属製の分銅本体２の表面に分銅本体２内部に向かって質量調整用穴５を空ける。この質量調整用穴５を蓋部１０で着脱自在に覆う。蓋部１０の内面に質量調整用穴５内に挿入されると共に、質量を調整するための質量調整材１５が収容可能な中空の容器部２０を設ける。この容器部２０を蓋部１０と共に質量調整用穴５に対して着脱自在に構成する。【選択図】図２
2006226882.tif 000002
【特許請求の範囲】
【請求項１】
計量器を検査するための分銅において、
金属製の分銅本体と、
上記分銅本体の表面に開口を有し、該分銅本体内部に向かって空けられた質量調整用穴と、
上記質量調整用穴を着脱自在に覆う蓋部とを備え、
上記蓋部の内面に、上記質量調整用穴内に挿入されると共に、質量を調整するための質量調整材が収容可能な中空の容器部が設けられ、
上記容器部は、上記蓋部と一緒に質量調整用穴に対して着脱されるように構成されていることを特徴とする分銅。
【請求項２】
請求項１に記載の分銅において、
全体の質量が１００ｋｇ以上２０００ｋｇ以下の大型分銅であることを特徴とする分銅。
【請求項３】
請求項１又は２に記載の分銅において、
上記分銅本体の質量調整用穴の開口には、本体側雌ネジ部が設けられ、
上記蓋部は、平板部と、該平板部から延び、上記本体側雌ネジに螺合する蓋側雄ネジ部とを備え、該蓋側雄ネジ部の先端には、蓋側穴部が設けられ、
上記容器部は丸パイプ状に形成され、一端が上記蓋側穴部に挿入固定される一方、他端には容器側ネジ部が設けられ、該容器側ネジ部に容器部の底部を着脱自在に覆うボルト部材が設けられていることを特徴とする分銅。
【請求項４】
請求項１又は２に記載の分銅において、
上記分銅本体の質量調整用穴の開口には、本体側雌ネジ部が設けられ、
上記蓋部は、上記本体側雌ネジ部よりも径の大きい平板部と、該平板部から延び、上記本体側雌ネジに螺合する蓋側雄ネジ部とを備え、該蓋側雄ネジ部の先端には、蓋側雌ネジ部が設けられ、
上記容器部は有底円筒形状に形成され、その開口側端部には、上記蓋側雌ネジ部に螺合する容器側雄ネジ部が形成され、
上記容器部が上記蓋部に着脱自在に構成されていることを特徴とする分銅。
【発明の詳細な説明】
【技術分野】
【０００１】
本発明は、分銅に関するものである。
【背景技術】
【０００２】
従来より、取引又は証明などに使用される特定計量器の検定や検査に使用される基準分銅又は実用基準分銅は知られている。この基準分銅は、その精度を保つために１年又は３年に１回、実用基準分銅は１年に１回又は２回の質量調整をすることが法律により定められている。
【０００３】
このため、例えば、特許文献１に示すように、一体に形成された胴部及び首部とこの首部に対して着脱自在の頭部とからなり、首部がその上端に頭部よりも小径のフランジ部を一体に有し、このフランジ部の上面中央から胴部の中心に向かって質量調整用の金属を詰めるための縦穴が設けられ、上記頭部の下面に形成された凹部に上記フランジ部を嵌め合わせ、頭部がフランジ部上面の縦穴の蓋を兼ねているものが知られている。この分銅では、縦穴に収容する質量調整用の金属を加減することで質量調整が行われる。
【特許文献１】登録実用新案第３００３７０４号公報
【発明の開示】
【発明が解決しようとする課題】
【０００４】
上記従来の分銅は軽量なものであるため、頭部を取り外し、分銅を逆さまにすることで、縦穴内に収容された質量調整用の金属を容易に取り出すことができる。
【０００５】
しかしながら、トラックスケールなどの大型計量器の検定や検査に使用する基準分銅のように人力で持ち上がらないような大型分銅では、容易に横転又は反転させて縦穴内の質量調整用の金属を取り出すことはできない。したがって、質量調整用の金属を棒状のもので掻き出す必要があり、質量調整が大変面倒であるという問題がある。
【０００６】
本発明は、かかる点に鑑みてなされたものであり、その目的とするところは、分銅本体を横転又は反転することなく、容易に質量調整できるようにすることにある。
【課題を解決するための手段】
【０００７】
上記の目的を達成するために、この発明では、質量調整用の穴を塞ぐ蓋部の着脱と同時に質量調整材を収容する容器部も着脱されるようにした。
【０００８】
具体的には、本発明では、計量器を検査するための分銅を前提とし、この分銅は、金属製の分銅本体と、上記分銅本体の表面に開口を有し、該分銅本体内部に向かって空けられた質量調整用穴と、上記質量調整用穴を着脱自在に覆う蓋部とを備えている。この蓋部の内面に、上記質量調整用穴内に挿入されると共に、質量を調整するための質量調整材が収容可能な中空の容器部が設けられている。上記容器部は、上記蓋部と一緒に質量調整用穴に対して着脱されるように構成されている。
【０００９】
上記の構成によると、分銅に質量調整をする必要が生じると、まず、質量調整用穴を塞ぐ蓋部を取り外せば、これと同時に蓋部の内面に設けられた容器部も取り出される。次に容器部内の質量調整材の質量を調整し、質量調整用穴を再び蓋部で覆うことで、分銅全体の質量が規定の公差内に調整される。
【００１０】
第２の発明では、分銅は、全体の質量が１００ｋｇ以上２０００ｋｇ以下の大型分銅としている。
【００１１】
上記の構成によると、全体の質量が１００ｋｇ未満の分銅は、人力で分銅本体を横転させて質量調整用穴内に収容した質量調整材を取り出すことも可能であるが、１００ｋｇ以上の大型分銅では、そのような作業を人力で行うことは容易ではない。一方、２０００ｋｇよりも大きな分銅は通常あまり使われない。本発明は、このような大型分銅を横転又は反転することなく、蓋部を取り外すことで、質量調整用穴内に収容した質量調整材も取り出され、質量調整が行われる。
【００１２】
第３の発明では、上記分銅本体の質量調整用穴の開口には、本体側雌ネジ部が設けられ、上記蓋部は、平板部と、該平板部から延び、上記本体側雌ネジに螺合する蓋側雄ネジ部とを備え、該蓋側雄ネジ部の先端には、蓋側穴部が設けられ、上記容器部は丸パイプ状に形成され、一端が上記蓋側穴部に挿入固定される一方、他端には容器側ネジ部が設けられ、該容器側ネジ部に容器部の底部を着脱自在に覆うボルト部材が設けられている。
【００１３】
上記の構成によると、蓋部を質量調整用穴から取り外した後、蓋部を上下逆さまとし、容器部の底部のボルト部材を回転させて容器部から取り外し、容器部を傾けてその開口から質量調整材を取り出したり、開口から質量調整材を追加したりすることで、分銅全体の質量調整が行われる。
【００１４】
第４の発明では、上記分銅本体の質量調整用穴の開口には、本体側雌ネジ部が設けられ、上記蓋部は、上記本体側雌ネジ部よりも径の大きい平板部と、該平板部から延び、上記本体側雌ネジに螺合する蓋側雄ネジ部とを備え、該蓋側雄ネジ部の先端には、蓋側雌ネジ部が設けられ、上記容器部は有底円筒形状に形成され、その開口側端部には、上記蓋側雌ネジ部に螺合する容器側雄ネジ部が形成され、上記容器部が上記蓋部に着脱自在に構成されている。
【００１５】
上記の構成によると、蓋部を質量調整用穴から取り外した後、容器部を回転させて蓋部から取り外し、容器部を傾けてその開口から質量調整材を取り出したり、開口から質量調整材を追加したりすることで、分銅全体の質量調整が行われる。
【発明の効果】
【００１６】
以上説明したように、上記第１の発明によれば、蓋部を質量調整用穴から取り外して、その内面に設けた容器部も取り出し、この容器部内の質量調整材の質量を調整することで、分銅全体の質量を調整するようにしている。このため、分銅本体を横転又は反転させなくても、質量調整用穴内の質量調整材を加減することができるので、質量調整を極めて容易に行うことができる。
【００１７】
上記第２の発明によれば、全体の質量が１００ｋｇ以上２０００ｋｇ以下の分銅において、分銅本体を横転又は反転することなく質量調整用穴内に収容した質量調整材を取り出せるようにしている。したがって、質量調整を極めて容易に行うことができる。
【００１８】
上記第３の発明では、容器部の底部開口に設けたボルト部材を取り外すことで、底部開口から質量調整材を取り出すようにしている。上記第４の発明では、有底の容器部を回転させて蓋部から取り外し、その開口から質量調整材を取り出すようにしている。
【発明を実施するための最良の形態】
【００１９】
以下、本発明の実施形態を図面に基づいて説明する。
【００２０】
−分銅の構成−
図１は本発明の実施形態にかかる分銅１を示す。この分銅１は、１００ｋｇ以上２０００ｋｇ以下の大型分銅であり、いわゆる枕型形状に成形された鋳鉄製のものである。なお、材質はステンレス鋼であってもよく、形状は円盤形であってもよい。
【００２１】
上記分銅１は、略直方体の分銅本体２を有し、この分銅本体２の底面には、一対の脚部３が設けられている。このことで、分銅本体２は、積み重ね可能となっている。また、分銅本体２の上面には、クレーン作業時などにフック（図示せず）を掛けるための一対の引っ掛け部４が設けられている。
【００２２】
さらに、図２に示すように、分銅本体２の上面には、内部（下方）に向かって有底の質量調整用穴５が空けられている。この質量調整用穴５の開口６には、本体側雌ネジ部７が設けられ、この開口６の内側（下側）は、この開口６よりも内径が大きい空洞となっている。開口６の周縁には、座ぐり８が設けられている。
【００２３】
上記質量調整用穴５には、金属製の蓋部１０が着脱自在に設けられている。すなわち、蓋部１０は、本体側雌ネジ部７よりも径の大きい平板部としての円板部１１と、この円板部１１から延び、上記本体側雌ネジ部７に螺合する蓋側雄ネジ部１２とを備えている。この蓋側雄ネジ部１２の先端には、蓋側穴部１３が設けられている。円板部１１は、上記座ぐり８内に収まり、その表面が分銅本体２の上面よりも飛び出ることはない。なお、円板部１１の表面には、蓋部１０を締結するための凹溝１１ａが形成されている。また、平板部は、円板ではなく、矩形状の平板で構成してもよい。
【００２４】
上記蓋部１０の内面（下面）には、上記質量調整用穴５内に挿入される中空の容器部２０が設けられている。この容器部２０は、分銅１の質量を調整するための質量調整材１５が収容可能に構成されている。具体的には、上記蓋側穴部１３には、金属製の丸パイプよりなる容器部２０の一端が挿入されてかしめられている。容器部２０の他端側内周には、容器側ネジ部２１が設けられている。この容器側ネジ部２１には、この容器部２０の底部を着脱自在に覆う六角穴付きボルトなどのボルト部材２２が設けられている。質量調整材１５は、鉛などの金属からなる。なお、容器部２０の他端側外周に容器側ネジ部２１を設け、この容器側ネジ部２１にボルト部材２２を螺合させてもよい。また、容器部２０の一端をかしめではなく、溶接にて蓋部１０に取り付けてもよく、蓋側穴部１３を設けずに蓋部１０の内面に直接容器部２０を溶接してもよい。
【００２５】
−分銅の質量調整−
次に、本実施形態にかかる分銅１の質量調整の手順について説明する。
【００２６】
まず、分銅１の精度を保つ検査をするために、基準器（基準台手動はかり又はマスコンパレータ）で分銅１の質量を計量する。例えば、１０００ｋｇの２級基準分銅では、法定の公差が±５０ｇとなっている。分銅１の質量誤差がこの公差内にないときには、分銅１の質量調整が必要となる。
【００２７】
この場合、まず、分銅１の蓋部１０を取り外す。すると、蓋部１０と一緒に容器部２０が取り出される。
【００２８】
次いで、蓋部１０を上下逆さまとし、容器部２０の底部のボルト部材２２を六角レンチなどで回転させて容器部２０から取り外す。
【００２９】
次いで、容器部２０を傾けてその開口から必要量の質量調整材１５を取り出したり、その開口に必要量の質量調整材１５を加えたりする。
【００３０】
次に、再びボルト部材２２を容器部２０に締め付けて、最後に蓋部１０を質量調整用穴５に取り付ける。
【００３１】
−実施形態の効果−
したがって、本実施形態にかかる分銅１によると、蓋部１０を質量調整用穴５から取り外して、その先端に設けた容器部２０も取り出し、この容器部２０内の質量調整材１５の質量を調整することで、分銅１全体の質量を調整するようにしている。このため、分銅１において分銅本体２を横転又は反転させなくても、質量調整用穴５内の質量調整材１５を加減することができるので、質量調整を極めて容易に行うことができる。
【００３２】
上記実施形態によれば、全体の質量が１００ｋｇ以上２０００ｋｇ以下の分銅１において、分銅本体２を横転又は反転することなく質量調整用穴５内に収容した質量調整材１５を取り出せるようにしている。したがって、質量調整を極めて容易に行うことができる。
【００３３】
（その他の実施形態）
本発明は、上記実施形態について、以下のような構成としてもよい。
【００３４】
図３に示すように、蓋側雄ネジ部１２の先端に蓋側雌ネジ部１１３を設け、容器部１２０を有底円筒形状に形成し、その開口側の端部外周に上記蓋側雌ネジ部１１３に螺合する容器側雄ネジ部１１４を形成し、容器部１２０を蓋部１０に着脱自在に構成してもよい。この場合には、蓋部１０を質量調整用穴５から取り外した後、容器部１２０を回転させて蓋部１０から取り外し、容器部１２０を傾けてその開口から質量調整材１５を取り出したり、開口から質量調整材１５を追加したりすることで、分銅１全体の質量調整が容易に行える。
【００３５】
また、上記実施形態では、質量調整用穴５を分銅本体２の上面に設けたが、分銅本体２の側面に設けてもよい。この場合にも、分銅本体２を横転させることなく質量調整が可能である。
【００３６】
また、上記実施形態では、分銅１は、１００ｋｇ以上２０００ｋｇ以下の大型分銅としたが、１００ｋｇ未満の分銅としてもよく、この場合にも本発明は適用可能である。
【００３７】
なお、以上の実施形態は、本質的に好ましい例示であって、本発明、その適用物や用途の範囲を制限することを意図するものではない。
【産業上の利用可能性】
【００３８】
以上説明したように、本発明は、取引又は証明などに使用される特定計量器の検定や検査に使用される基準分銅及び実用基準分銅について有用である。
【図面の簡単な説明】
【００３９】
【図１】本発明の実施形態にかかる分銅を示す（ａ）が平面図で、（ｂ）が側面図で、（ｃ）が正面図である。
【図２】図１におけるII−II線断面図である。
【図３】その他の実施形態にかかる蓋部及び容器部を示す側方断面図である。
【符号の説明】
【００４０】
１      分銅
２      分銅本体
５      質量調整用穴
６      開口
７      本体側雌ネジ部
１０      蓋部
１１      円板部（平板部）
１２      蓋側雄ネジ部
１３，１１３      蓋側穴部
１５      質量調整材
２０，１２０      容器部
２１      容器側ネジ部
２２      ボルト部材
１１４      容器側雄ネジ部
【図１】
2006226882.tif 000003
【図２】
2006226882.tif 000004
【図３】
2006226882.tif 000005